(57)【要約】【課題】表示部上の個々の画像を確認し確実に操作できるようにした画像表示装置および画像表示方法を提供する。【解決手段】表示部８とタッチパネル８ｂとからなる画像表示装置において、複数の画像を個々の画像に隣接させて一覧表示する第１の表示モードと、複数の画像の中から、タッチパネル８ｂによって選択された１つを拡大表示する第２の表示モードと、第１の表示モードにおいて、タッチパネル８ｂが操作された時に、第１の表示モードから選択された複数の画像と、複数の画像の各々の選択用に、操作部パターン画像を合わせて表示する第３の表示モードとの移行制御を行う表示制御部１ｂを有する。【選択図】  図４
2010113440.tif 000002
【特許請求の範囲】
【請求項１】
表示パネルとタッチパネルとからなる画像表示装置において、
複数の画像を個々の画像に隣接させて一覧表示する第１の表示モードと、
上記複数の画像の中から、上記タッチパネルによって選択された１つを拡大表示する第２の表示モードと、
上記第１の表示モードにおいて、上記タッチパネルが操作された時に、上記第１の表示モードから選択された複数の画像と、上記複数の画像の各々の選択用に、操作部パターン画像を合わせて表示する第３の表示モードと、
の移行制御を行う表示制御部と、
を具備することを特徴とする画像表示装置。
【請求項２】
上記表示制御部は、上記第３の表示モードにおいて、上記タッチパネルの操作状態を判定して、上記第２の表示モードを実行することを特徴とする請求項１に記載の画像表示装置。
【請求項３】
上記第３の表示モードは、上記第１の表示モードにおいて操作された上記タッチパネルの状態に従って複数の状態を有することを特徴とする請求項１に記載の画像表示装置。
【請求項４】
上記タッチパネルにおけるタッチの強さを２段階で検出可能とし、
上記表示制御部は、
上記タッチパネルのタッチの強さの検出結果、弱いタッチであった場合には、上記タッチを止めると、上記第３の表示モードから上記第１の表示モードに戻り、
上記タッチパネルのタッチの強さの検出結果、強いタッチであった場合には、上記タッチを止めると、上記第３の表示モードのままである、
ことを特徴とする請求項１に記載の画像表示装置。
【請求項５】
上記タッチパネルにおけるタッチの過程を２段階で検出可能とし、
上記表示制御部は、
上記タッチパネルのタッチ過程の検出結果、上記タッチパネルから遠い第１のタッチ段階であった場合には、上記タッチを止めると、上記第３の表示モードから上記第１の表示モードに戻り、
上記タッチパネルのタッチ過程の検出結果、上記タッチパネルに近い第２のタッチ段階であった場合には、上記タッチを止めると、上記第３の表示モードのままである、
ことを特徴とする請求項１に記載の画像表示装置。
【請求項６】
画像を表示するための画像表示部と、この画像表示部の表面をタッチしたことを検出するタッチ検出部を有する表示装置と、
複数の上記画像を上記画像表示部に表示を行っている際に、上記タッチ検出部によりタッチされたことを検出した際に、上記タッチされた周辺の画像を拡大表示すると共に、この画像の近傍に選択用の選択入力部を表示させる表示制御部と、
を具備することを特徴とする画像表示装置。
【請求項７】
上記表示制御部は、上記選択入力部がタッチされた場合には、この選択入力部に対応する画像を拡大表示することを特徴とする請求項６に記載の画像表示装置。
【請求項８】
上記表示制御部は、上記タッチ検出部によって検出された画像の数に応じて、予め定められたパターンで上記画像を表示することを特徴とする請求項６に記載の画像表示装置。
【請求項９】
上記タッチ検出部は、タッチ状態を検出可能であり、このタッチ状態に応じて、表示状態を切り換えることを特徴とする請求項６に記載の画像表示装置。
【請求項１０】
複数の画像を一覧表示し、
上記一覧表示した際に、表示部をタッチされたか否かを判定し、
上記判定の結果、タッチされた場合には、このタッチされた周辺の画像を拡大表示すると共に、この画像の近傍に選択用の選択入力部を表示させる、
ことを特徴とする画像表示方法。
【発明の詳細な説明】
【技術分野】
【０００１】
本発明は、画像表示装置に関し、詳しくは、タッチパネル等の画面上で指示することの可能な画像表示装置に関する。
【背景技術】
【０００２】
近年、カメラなどの携帯機器は、携帯性を高めると共に、表示パネルの大型化が求められている。このため、表示部を有効に操作部材として活用できるタッチパネルの利用が増加している。例えば、特許文献１には、マニュアルにて各種パラメータを設定する際に、タッチパネルを用いたカメラが開示されている。このカメラは、タッチパネルの押圧に係わる条件で撮影パラメータを変更している。
【特許文献１】特開２００６−７８６６３号公報
【０００３】
また、カメラの画像記録用のメモリ容量も大容量化する方向にあり、カメラは大量の画像を扱う傾向にある。これらの画像を一括してプリントするようなフィルムカメラの時代の使い方より、むしろ、選択した画像をブログやＳＮＳにアップするような使い方が一般的になってきている。すなわち、大量の画像の中からどうやって画像を選択するかが重要なテーマとなってきている。
【発明の開示】
【発明が解決しようとする課題】
【０００４】
カメラ等の携帯機器において、タッチパネル等の表示装置は小型化に貢献しているが、大量の画像の中から画像を選択するにあたって、使い勝手が十分とは言い難い。すなわち、大量の画像を限られたスペースに表示すると、どうしても個々の画像が小さくなってしまう。このため、画像選択時に、正しくタッチすることが困難となってしまう。この点、上述の特許文献１に記載のカメラにおいては、タッチ部分の大きさについては考慮されていない。
【０００５】
本発明は、このような事情を鑑みてなされたものであり、表示部上の個々の画像を確認し確実に操作できるようにした画像表示装置および画像表示方法を提供することを目的とする。
【課題を解決するための手段】
【０００６】
上記目的を達成するため第１の発明に係わる画像表示装置は、表示パネルとタッチパネルとからなる画像表示装置において、複数の画像を個々の画像に隣接させて一覧表示する第１の表示モードと、上記複数の画像の中から、上記タッチパネルによって選択された１つを拡大表示する第２の表示モードと、上記第１の表示モードにおいて、上記タッチパネルが操作された時に、上記第１の表示モードから選択された複数の画像と、上記複数の画像の各々の選択用に、操作部パターン画像を合わせて表示する第３の表示モードとの移行制御を行う表示制御部と、を具備する。
【０００７】
第２の発明に係わる画像表示装置は、上記第１の発明において、上記表示制御部は、上記第３の表示モードにおいて、上記タッチパネルの操作状態を判定して、上記第２の表示モードを実行する。
第３の発明に係わる画像表示装置は、上記第１の発明において、上記第３の表示モードは、上記第１の表示モードにおいて操作された上記タッチパネルの状態に従って複数の状態を有する。
【０００８】
第４の発明に係わる画像表示装置は、上記第１の発明において、上記タッチパネルにおけるタッチの強さを２段階で検出可能とし、上記表示制御部は、上記タッチパネルのタッチの強さの検出結果、弱いタッチであった場合には、上記タッチを止めると、上記第３の表示モードから上記第１の表示モードに戻り、上記タッチパネルのタッチの強さの検出結果、強いタッチであった場合には、上記タッチを止めると、上記第３の表示モードのままである。
第５の発明に係わる画像表示装置は、上記第１の発明において、上記タッチパネルにおけるタッチの過程を２段階で検出可能とし、上記表示制御部は、上記タッチパネルのタッチ過程の検出結果、上記タッチパネルから遠い第１のタッチ段階であった場合には、上記タッチを止めると、上記第３の表示モードから上記第１の表示モードに戻り、上記タッチパネルのタッチ過程の検出結果、上記タッチパネルに近い第２のタッチ段階であった場合には、上記タッチを止めると、上記第３の表示モードのままである。
【０００９】
第６の発明に係わる画像表示装置は、画像を表示するための画像表示部と、この画像表示部の表面をタッチしたことを検出するタッチ検出部を有する表示装置と、複数の上記画像を上記画像表示部に表示を行っている際に、上記タッチ検出部によりタッチされたことを検出した際に、上記タッチされた周辺の画像を拡大表示すると共に、この画像の近傍に選択用の選択入力部を表示させる表示制御部と、を具備する。
【００１０】
第７の発明に係わる画像表示装置は、上記第６の発明において、上記表示制御部は、上記選択入力部がタッチされた場合には、この選択入力部に対応する画像を拡大表示する。
第８の発明に係わる画像表示装置は、上記第６の発明において、上記表示制御部は、上記タッチ検出部によって検出された画像の数に応じて、予め定められたパターンで上記画像を表示する。
第９の発明に係わる画像表示装置は、上記第６の発明において、上記タッチ検出部は、タッチ状態を検出可能であり、このタッチ状態に応じて、表示状態を切り換える。
【００１１】
第１０の発明に係わる画像表示方法は、複数の画像を一覧表示し、上記一覧表示した際に、表示部をタッチされたか否かを判定し、上記判定の結果、タッチされた場合には、このタッチされた周辺の画像を拡大表示すると共に、この画像の近傍に選択用の選択入力部を表示させる。
【発明の効果】
【００１２】
本発明によれば、表示部上の個々の画像を確認し確実に操作できるようにした画像表示装置および画像表示方法を提供することができる。
【発明を実施するための最良の形態】
【００１３】
以下、図面に従って本発明を適用したカメラを用いて好ましい一実施形態について説明する。図１は、本発明の一実施形態に係わるカメラの構成を示すブロック図であり、カメラ１０は被写体を撮影し、画像を取得するデジタルカメラである。カメラ１０は、画像処理及び制御部１、撮像部２、顔検出部３、記録部４、操作判定部６、表示部８、タッチパネル８ｂ、時計部９、通信部１２を有している。
【００１４】
撮像部２は、被写体像を結像するための光学系や被写体像を光電変換する撮像素子を有し、画像データを画像処理及び制御部１等に出力する。画像処理及び制御部１は、撮像部２から出力される画像データの画像処理を行う。また、画像処理及び制御部１は、予め記憶部（不図示）に格納されたプログラムに従って、カメラ１０全体の制御を行う。
【００１５】
顔検出部３は撮像部２からの画像データを入力し、この画像中に顔部分が存在するか否かを判定し、存在する場合にはその位置を検出する。前述の画像処理及び制御部１は、顔検出部３からの顔情報を、ピント合わせや露出を制御する際のターゲットとして用いる。表示部８は、画像データに基づいて、被写体像をライブビュー表示する。撮影者はこのライブビュー表示を観察しながら、撮影時の構図決めやシャッタチャンスを決定する。
【００１６】
操作判定部６は、カメラ１０に設けられたレリーズ釦、ズーム釦、再生釦、メニュー釦等の操作部材の操作状態を判定する。時計部４は、日時情報を出力する。記録部４は、画像データを記録する記録媒体である。画像処理及び制御部１は、操作判定部６によって撮影指示の操作がなされたことを判定すると、画像データとこの画像データに関連付けて撮影時の日時情報を記録部４に記録する。撮影日時に基づいて画像管理を可能とするためである。
【００１７】
通信部１２は、画像処理及び制御部１に接続され、画像データを外部に送信し、また受信するための通信を行う。通信手段としては、ＵＳＢケーブル等による有線通信、赤外線や無線による通信等を利用可能であり、また、ホットスポット等においてネットワークを介して外部のサーバーと通信することにより、撮影した画像をブログ等にアップしたり、また、パーソナルコンピュータに画像を送信することが可能である。
【００１８】
画像処理及び制御部１の内部には、表示制御部１ｂが設けてあり、この表示制御部１ｂは表示部８とタッチパネル８ｂの制御を行う。表示部８は、記録部４に記録されている撮影画像を再生可能であり、一覧表示されている再生画像の中から、タッチパネル８ｂのタッチ状態に応じて画像選択が可能である。ここで選択された画像は、前述の通信部１２を介して外部に送信可能である。表示制御部１ｂは、タッチパネル８ｂのタッチ状態等の操作状態や、画像の表示状態に応じて、表示形態を変更し、画像選択が容易になるようにする。
【００１９】
次に、図２および図３を用いて、タッチパネル８ｂの構成について説明する。図２に示すタッチパネル８ｂは、いわゆる抵抗型タッチパネルであり、２枚の透明フィルム１０１、１０２から構成されている。２枚の透明フィルム１０１、１０２には、それぞれ複数の帯からからなる透明抵抗膜１０３、１０４が設けられており、これらの透明抵抗膜１０３、１０４が互いに直交するように向かい合わせて配設する。
【００２０】
この状態で、上から押圧すると、図２（ｂ）に示すように、押圧された付近において、透明抵抗膜１０３、１０４が接して導通する。透明抵抗膜１０３、１０４のそれぞれの端部電極（図示の矢印の方向）における電気信号の変化を検出することにより、いずれの透明抵抗膜１０３、１０４が接したか否かが分かる。接触した透明抵抗膜１０３、１０４を特定することにより、その交点位置から押圧された位置を判定することができる。
【００２１】
図２（ｂ）に示すように、指等で押圧されたときの透明抵抗膜１０３の抵抗がＲ１１、Ｒ１２に分割されるとすると、同じ位置でさらに強く押圧すると、図２（ｃ）に示すように、抵抗がＲ２１、Ｒ２２に変化する。このときの抵抗値の関係は、透明抵抗膜１０３と透明抵抗膜１０４の接触面積が増加し、接触していない部分が少なくなることから、Ｒ１１＞Ｒ２１、Ｒ１２＞Ｒ２２となる。したがって、抵抗値の変化を検出することにより、ユーザがタッチパネル８ｂを押しこんだか、強く押しこんだかを判定することができる。
【００２２】
図３に示すタッチパネル８ｂは、光電センサ型タッチパネルである。このタッチパネル８ｂ、液晶８０内に光センサ８０ｂが所定の間隔で２次元的に配列されており、液晶８０の背面にはバックライト８０ａが設けられている。この光電センサ型のタッチパネルは、液晶上に配置されるのではなく、液晶内に一体に組み込まれる。
【００２３】
ユーザの指８１がタッチパネル８ｂに近づくと、バックライト８０ａからの光が、指８１によって反射され、光センサ８０ｂによって検出される。いずれの光センサ８０が指８１からの反射光を検出したによって、タッチ位置を検出することができる。ユーザの指８１の位置は、図３（ａ）に示すように、液晶８０より少し浮いた位置にある場合と、図３（ｂ）に示すように、液晶８０の表面に密着している場合では、指８１からの反射光を検出する光センサ８０ｂの位置が異なる。したがって、いずれの光センサ８０ｂが検出したかを判定することによって、ユーザの指８１の位置や、またいずれの方向からタッチされたか等のタッチ具合について判定することができる。すなわち、光電センサ型のタッチパネルでは、タッチ過程を検出でき、タッチパネルから遠い第１のタッチ段階と、タッチパネルに近い第２のタッチ段階とに、少なくとも２段階に区別することが可能である。
【００２４】
次に、図４を用いて、本実施形態における表示部８とタッチパネル８ｂの使用方法について説明する。多数の画像を見る場合には、ユーザは操作部を操作し、撮影画像を表示部８に一覧表示する。図４（ａ）（ｂ）は、この一覧表示の例を示しており、図４（ａ）では９コマの撮影画像を再生表示し、図４（ｂ）では１６コマの撮影画像を再生表示している様子を示す。この例より明らかなように、画像が多くなればなるほど、画像全体を把握しやすいが、個々の画像が小さくなることから、タッチパネル８ｂ上での選択は困難になる。すなわち、図４（ｃ）では、２５コマの一覧表示であるが、この中から１つの画像を選択しようとすると、画像が小さいために、複数コマの画像をタッチしてしまう（図４（ｃ）の例では、斜線部の６コマ選択している）。
【００２５】
そこで、本実施形態においては、一覧表示されている画像を選択するために、タッチパネル８ｂをタッチすると、図４（ｄ）に示すように、その部分を拡大表示し、また選択用のスイッチ（図４（ｄ）では「ＳＷ」と表示）を画像の下に表示するようにしている。すなわち、一覧表示の個々の画像の間に間隔ｄをとり、この間に選択用のスイッチＳＷを配置している。このため、ユーザは、画像を見ながら、スイッチの部分をタッチすることにより、簡単かつ確実に画像を選択することができる。
【００２６】
次に、本実施形態におけるカメラの動作について、図５に示すフローチャートを用いて説明する。このカメラ制御のフローに入ると、まず、電源スイッチがオンか否かの判定を行う（Ｓ１０１）。この判定の結果、電源スイッチがオンでなかった場合には、このカメラ制御のフローを終了する。終了するとスリープ状態に入り、電源スイッチがオンとなると、割り込み処理が行われ、ステップＳ１０１より実行する。
【００２７】
ステップＳ１０１における判定の結果、電源スイッチがオンであった場合には、次に、撮影モードか否かの判定を行う（Ｓ１０２）。この判定の結果、撮影モードに設定されている場合には、次に、ライブビュー表示を行う（Ｓ１０３）。ライブビュー表示は、撮像部２によって取得した画像データに基づいて、表示部８に被写体像を動画表示するものであり、撮影者は、このライブビュー表示を見て、構図を決定する。また、この際、顔検出部３によって顔を検出した場合には、この顔のある部分にピント合わせや露出合わせを行うようにしても良い。
【００２８】
続いて、レリーズか否かの判定を行う（Ｓ１０４）。このステップでは、撮影者がレリーズ釦を操作し、撮影を指示したか否かを操作判定部６によって判定する。この判定の結果、レリーズされていなかった場合には、ステップＳ１０２に戻り、前述の動作を実行する。一方、ステップＳ１０４における判定の結果、レリーズされた場合には、静止画による撮影を行う（Ｓ１０５）。ここでは、撮像部２によって取得した画像データを記録部４に記録する。撮影が終わると、ステップＳ１０１に戻る。
【００２９】
ステップＳ１０２における判定の結果、撮影モードでなかった場合には、再生モードか否かの判定を行う（Ｓ１１１）。再生モードは、記録部４に記録されている撮影画像を表示部８に再生表示するモードである。このステップＳ１１１における判定の結果、再生モードでなかった場合には、ステップＳ１０２に戻り、前述の動作を実行する。一方、ステップＳ１１１における判定の結果、再生モードであった場合には、画像再生を行う（Ｓ１１２）。ここでの画像再生は、１コマでの再生であり、例えば、最終画像が再生表示される。
【００３０】
続いて表示の分割数を示す変数Ｎを１とする（Ｓ１１３）。次に、一覧表示を行うか否かの判定を行う（Ｓ１１４）。ここでは、再生表示するにあたって、サムネイル表示を指示するための操作部材（メニュー画面での設定を含む）が操作されたか否かの判定を行う。この判定の結果、一覧表示でなかった場合には、画像の切り換えを行うか否かの判定を行う（Ｓ１３１）。このステップでは、再生画像の送り操作用または戻し操作用の操作部材が操作されたか否かを判定する。
【００３１】
ステップＳ１３１における判定の結果、切換え操作がなされた場合には、同じ形式で画像の切り換えを行う（Ｓ１３２）。すなわち、操作部材の操作に応じて、ステップＳ１１２における画像再生と同じ形式で１コマの画像が再生表示される。一方、ステップＳ１３１における判定の結果、画像切換えでなかった場合には、送信か否かの判定を行う（Ｓ１３３）。この判定は、送信釦等の操作部材がユーザによって操作されたか否かによって行う。
【００３２】
ステップＳ１１３における判定の結果、送信であった場合には、送信を行う（Ｓ１３４）。ここでは、表示部８に再生表示されている画像の画像データをコピーし、有線または無線等により通信部１２を介して外部に送信する。この送信を行うと、またはステップＳ１３２における画像切換えを行うと、またはステップＳ１３３における判定の結果、送信でなかった場合には、ステップＳ１０１に戻る。
【００３３】
ステップＳ１１４における判定の結果、一覧表示であった場合には、次に、変数Ｎに１を加算する（Ｓ１２１）。続いて、変数Ｎの２乗の画像が読み出され（Ｓ１２２）、一覧表示される（Ｓ１２３）。ステップＳ１２１を通過するたびに、変数Ｎは加算されるので、最初は、４コマ画像で一覧表示され、次は９コマ画像で一覧表示され、その次は１６コマ画像で一覧表示される。一覧表示することにより、ユーザは多数の画像の中から探している画像を見つけ出すことができる。
【００３４】
一覧表示を行うと、続いて、タッチパネル８ｂがタッチされたか否かの判定を行う（Ｓ１２４）。この判定の結果、タッチされていた場合には、次に、軽いタッチまたは複数タッチか否かの判定を行う（Ｓ１２５）。ここで、軽いタッチか否かは、図２で説明した抵抗型のタッチパネル８ｂの場合には、図２（ｂ）に示すように軽い押圧力で押された場合である。また図３で説明した光電センサ型のタッチパネル８ｂの場合には、図３（ａ）に示すように、タッチパネル８ｂの表面に指８１が密着しておらず、表面に近づいているだけの場合である。また、複数タッチか否かは図４（ｃ）に示すように、複数の画像に触れている場合である。なお、光電センサ型タッチパネルの場合には、軽いタッチは、図３（ａ）に示すように、指８１がタッチパネル８ｂから遠い状態であり（前述の第１のタッチ段階）、強いタッチは、図３（ｂ）に示すように、指８１がタッチパネル８ｂに近づいた状態である（前述の第２のタッチ段階）。
【００３５】
ステップＳ１２５における判定の結果、軽いタッチまたは複数タッチであった場合には、次に、タッチ部の複数コマ間が大きくなるようにする（Ｓ１２７）。ここでは、タッチされたコマ数に応じて、図４（ｄ）に示したように、画像の間隔を広げ、ユーザのタッチ用にスイッチＳＷの表示を行う。このタッチ部複数コマ間大のサブルーチンについては、図６を用いて後述する。
【００３６】
タッチ部複数コマ間大を行うと、次に、軽いタッチがなされているか否かの判定を行う（Ｓ１２８）。この判定の結果、軽いタッチがあった場合には、ステップＳ１２４に戻り、前述の動作を実行する。一方、判定の結果、軽いタッチがなかった場合にはステップＳ１２１に戻る。これによって、図４（ｄ）に示すように、タッチ部の複数のコマの間隔を広げた状態から、図４（ｃ）に示すようなステップＳ１２３における一覧表示の状態に戻している。これはタッチされた複数のコマを拡大表示した際に、ユーザの意図するコマが含まれていなかった場合に、再度、一覧表示に戻り、やり直しを簡単にし、検索性を向上させるためである。従って、意図しない画像が選択されそうになった場合には、押しこまず、指を離せば良い。
【００３７】
ステップＳ１２５における判定の結果、軽いタッチまたは複数タッチでなかった場合には、タッチされている画像を拡大表示する（Ｓ１２６）。ここではタッチされている１コマの画像を拡大表示する。拡大表示すると、ステップＳ１１３に戻る。
【００３８】
ステップＳ１２４における判定の結果、タッチされていなかった場合には、画像選択を終了するか否かの判定を行う（Ｓ１４１）。ここでは、再生モードを終了するために再生釦が操作されたか否か等によって判定する。この判定の結果、終了でなかった場合には、ステップＳ１１４に戻るので、一覧表示を続行すれば、さらに多数の画像を見ることができる。一方、ステップＳ１４１における判定の結果、再生終了であった場合には、ステップＳ１０１に戻り、前述の動作となる。
【００３９】
次に、ステップＳ１２７におけるタッチ部複数コマ間大のサブルーチンに説明するが、その前に、コマの間を広げるやり方について、図７を用いて説明する。表示部８の画面において、複数の画像と選択スイッチの配置は、図７（ａ）（ｂ）（ｃ）の３通りが有効である。すなわち、図７（ａ）では２つの画像９１と２つの選択スイッチ９２を配置し、図７（ｂ）では６つの画像９３と６つの選択スイッチ９４を配置し、図７（ｃ）では８つの画像９５と８つの選択スイッチ９６を配置している。選択スイッチ９２、９４、９６をタッチすることにより画像の選択ができ、画像９１、９３、９５を見やすいように間隔をとるようにしていることから、ユーザは画像９１、９３、９５を見ながらタッチすることによって画像選択ができる。
【００４０】
本実施形態においては、上述の２分割、６分割、８分割の３通りのパターン分けとした。これは、これ以上、分割数を増やしても、選択スイッチが小さくなるためタッチし難くなり、また、奇数コマではレイアウト上、対称性が悪く見栄えも悪くなることを考慮した為である。また、４分割、９分割など２や３の二乗で表わされる分割数では、アスペクト比が表示部と画像が同じ場合、画像の下に選択スイッチを表示すると、画像が小さくなり、本実施形態においては採用しなかった。また、３分割、５分割、７分割など奇数分割では、対称性のある配置にしようとすると、一列になってしまうことにより、採用しなかった。
【００４１】
次に、ステップＳ１２７におけるタッチ部複数コマ間大のサブルーチンについて、図６に示すフローチャートを用いて説明する。このフローに入ると、まず、タッチコマ数Ｍの判定を行う（Ｓ２０１）。ステップＳ１２５において、ユーザの指等によって、一覧表示されている画像の内、複数の画像がタッチされているか否かの判定を行っているので、このステップでは、このときタッチされていたコマ数を判定する。
【００４２】
続いて、タッチコマ数Ｍが２か否かを判定する（Ｓ２０２）。この判定の結果、タッチコマ数Ｍが２であった場合には、図７（ａ）に示したような２コマパターンを選択する（Ｓ２１１）。一方、ステップＳ２０２における判定の結果、タッチコマ数Ｍが２でなかった場合には、次に、タッチコマ数Ｍが７未満であるか否かの判定を行う（Ｓ２０３）。この判定の結果、タッチコマ数Ｍが７未満であった場合には、図７（ｂ）に示したような６コマパターンを選択する（Ｓ２１２）。
【００４３】
ステップＳ２０３における判定が、タッチコマ数Ｍが７以上であった場合には、次に、タッチコマ数Ｍが９未満であるか否かの判定を行う（Ｓ２０４）。この判定の結果、タッチコマ数Ｍが９未満であった場合には、図７（ｃ）に示したような８コマパターンを選択する。ステップＳ２１１、Ｓ２１２、Ｓ２１３において、コマパターンを選択すると、次に、選択パターンにタッチコマを並べる（Ｓ２１４）。ここでは、選択されたコマパターンに従って、図７（ａ）〜（ｃ）に示すようなパターンで、ステップＳ１２３における一覧表示よりは、拡大して表示し、また、各画像の下に選択スイッチ９２、９４、９５をそれぞれ表示する。なお、この選択パターンにタッチコマを並べるのサブルーチンについては、図８を用いて後述する。
【００４４】
ステップＳ２０４における判定の結果、タッチコマ数Ｍが９以上であった場合には、表示部８に判定不能警告を行う（Ｓ２０５）。この判定不能警告を行うと、またはステップＳ２１４のタッチコマの表示を行うと、タッチ部複数コマ間大のサブルーチンを終了し、元のフローに戻る。
【００４５】
次に、ステップＳ２１４における選択パターンにタッチコマ並べるのサブルーチンについて、図８を用いて説明する。このフローに入ると、まず、画面をＸ分割する（Ｓ３０１）。このフローではステップＳ２１１、Ｓ２１２、Ｓ２１３において選択した２コマ、６コマ、８コマパターンを共通に説明するために、Ｘ分割と記載しており、このステップでは、それぞれ選択されたパターンに合わせて、２分割、６分割、８分割を行う。
【００４６】
続いて、分割した枠を１画像として扱う（Ｓ３０２）。ここでは、ステップＳ３０１において分割した画面の各枠に、画像を対応付ける。たとえば、６分割時には図９（ａ）に示すように、画面が６分割されるが、個々に対応した各画像が表示されるものとして、画像処理部及び制御部１は判断する。この場合、アスペクト比の関係で、横方向の長さを一杯にとると、画面一杯に複数の画像を表示することができず、図９（ｂ）に示すように、縦方向には画像が埋まらない部分が生ずる。本実施形態においては、図９（ｃ）に示すように、この画像９３の埋まらない非表示部分に選択スイッチ９４を配置し、有効活用するようにしている。
【００４７】
ステップＳ３０２において分割した枠を１画像として扱うと、次に、分割した枠の上部を使って対応画像表示を行う（Ｓ３０３）。ここでは、前述した図９（ｂ）に示すように、枠の上部の横幅を一杯に使って、画像を表示する。これによって、図９（ｂ）の斜線部に画像が表示される。続いて、分割した枠の下部の画像表示なし部に選択部を表示する（Ｓ３０４）。前述のステップＳ３０３において、短冊状の表示部の下側が余白となっており、このステップＳ３０４では、この余白部に、図９（ｃ）に示すように、選択スイッチ９４の表示を行う。ステップＳ３０４における選択部の表示を行うと、元のフローに戻る。
【００４８】
このように、図８に示すフローにおいては、画面を分割し、この分割された画面内で、画像を大きく表示しながら、余白部には操作可能な部分を配置するようにしている。このため、ユーザは画像を確認しながら、画像選択を正しく行うことができる。
【００４９】
なお、本実施形態においては、選択スイッチ９２、９４、９６は、画像の下側に配置したが、これに限らず、側部に配置するようにしても良い。図１０（ａ）〜（ｃ）に示した例は、画像の右側に選択スイッチを配置する場合を示し、また図１１（ａ）〜（ｃ）は画像の左側に選択スイッチを配置する場合を示す。ユーザが右利きの場合には、図１０（ａ）〜（ｃ）の配置が利用しやすく、また、ユーザが左利きの場合には、図１１（ａ）〜（ｃ）の配置が利用しやすい。いずれの配置にするかは、メニューモード等で設定しても良く、また、指をタッチパネル８ｂに押しつける方向や角度を検知し、これから利き腕を判定し、自動的に表示を切り換えるようにしても良い。
【００５０】
以上説明したように、本発明の実施形態においては、複数の画像がタッチされた場合には、複数の画像の各々の選択用に、操作部パターン画像を表示している。このため、一覧表示（第１の表示モード）で多数の画像が表示されている場合であっても、選択用の操作部パターン画像が表示されることから（第３の表示モード）、表示部８上の表示画像を確認して確実に操作することができる。
【００５１】
また、本発明の実施形態においては、操作部パターン画像としては、タッチされた複数の画像等を、一覧表示の場合に比較し、拡大されることから、選択が容易であると共に確実に行うことができる。さらに、拡大された画像の近傍に、選択部（選択用スイッチ９２、９４、９５）を配置していることから、画像が隠れることなく選択を行うことができる。
【００５２】
さらに、本発明の実施形態においては、複数の画像がタッチされ操作部パターン画像が表示されている場合（第３の表示モード）において、選択部（選択用スイッチ９２、９４、９６）を選択すると、その選択された画像を拡大表示する（第２の表示モード）。このため、複数の画像の中から選択された画像を拡大して観察することができる。
【００５３】
さらに、本発明の実施形態においては、一覧表示されている状態（第１の表示モード）の操作状態（タッチされているタッチコマ数Ｍ）に応じて、複数の状態（分割数）の内のいずれかで表示するようにしている。このため、ユーザは操作状態に相応しい表示の中から画像選択を行うことができる。
【００５４】
さらに、本発明の実施形態においては、タッチパネルへのタッチ状態（タッチの強さや、タッチ過程）に応じて、表示状態を変更するようにしている。すなわち、弱いタッチ状態やパネルに近い第２のタッチ段階では、一覧表示（第２の表示モード）に戻るようにしている。このため、ユーザは弱いタッチ状態や第２のタッチ段階にすることにより、一覧表示に簡単に戻ることができ、誤って別のところをタッチしても、やり直すことができる。
【００５５】
なお、本実施形態においては、タッチパネルの例として、抵抗型のタッチパネルと、光電センサ型のタッチパネルを挙げたが、これに限らず、他の方式のタッチパネル、例えば、静電容量方式、表面弾性波方式、赤外線方式、マトリックス方式等、種々の方式のタッチパネルを使用することができる。これらのタッチパネルにおいても、タッチの強さやタッチの過程に応じて、表示モード等を変更するようにしても良い。
【００５６】
また、本実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）等に内蔵されるカメラでも構わない。いずれにしても、多数の静止画、動画を記録し、これを再生可能な画像表示装置であればあれば、本発明を適用することができる。
【００５７】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図面の簡単な説明】
【００５８】
【図１】本発明の一実施形態に係わるカメラの電気系の構成を示すブロック図である。
【図２】本発明の一実施形態に係るカメラの抵抗型のタッチパネルを説明する図であり、（ａ）は抵抗型タッチパネルの構成を示す斜視図であり、（ｂ）は弱くタッチされた状態におけるタッチパネルの断面図であり、（ｃ）は強くタッチされた状態におけるタッチパネルの断面図である。
【図３】本発明の一実施形態に係わるカメラの光電センサ型のタッチパネルを説明する図であり、（ａ）は指が近づいている状態におけるタッチパネルの断面図であり、（ｂ）は指が密着した状態におけるタッチパネルの断面図である。
【図４】本発明の一実施形態に係わるカメラにおいて、表示部とタッチパネルの使用方法を示す図であり、（ａ）は９画像を表示する一覧表示を示し、（ｂ）は１６画像を表示する一覧表示を示し、（ｃ）は画像を選択するために複数コマをタッチした状態を示し、（ｄ）はタッチされた画像についての選択用の操作部パターンを示す図である。
【図５】本発明の一実施形態におけるカメラにおいて、カメラ制御の動作を示すフローチャートである。
【図６】本発明の一実施形態におけるカメラにおいて、タッチ部複数コマ間大の動作を示すフローチャートである。
【図７】本発明の一実施形態におけるカメラにおいて、操作部パターンを示す図であり、（ａ）は２画像表示パターンの図であり、（ｂ）は６画像表示パターンの図であり、（ｃ）は８画像表示パターンの図を示す。
【図８】本発明の一実施形態におけるカメラにおいて、選択パターンにタッチコマ並び替えの動作を示すフローチャートである。
【図９】本発明の一実施形態におけるカメラにおいて、タッチコマ並び替えの処理手順を示す図であり、（ａ）は画面を分割した様子を示す図であり、（ｂ）は分割した枠の上部に対応画像を表示した様子を示す図であり、（ｃ）は分割した枠の下部に選択部を表示した様子を示す図である。
【図１０】本発明の一実施形態におけるカメラにおいて、選択用のパターンの変形例を示し、右利き用に右側に選択スイッチを配置した例を示す。
【図１１】本発明の一実施形態におけるカメラにおいて、選択用のパターンの変形例を示し、左利き用に左側に選択スイッチを配置した例を示す。
【符号の説明】
【００５９】
１・・・画像処理及び制御部、１ｂ・・・表示制御部、２・・・撮像部、３・・・顔検出部、４・・・記録部、６・・・操作判定部、８・・・表示部、８ｂ・・・タッチパネル、９・・・時計部、１２・・・通信部、８０・・・液晶、８０ａ・・・バックライト、８０ｂ・・・光センサ、８１・・・指、９１・・・画像、９２・・・選択スイッチ、９３・・・画像、９４・・・選択スイッチ、９５・・・画像、９６・・・選択スイッチ、１０１・・・透明フィルム、１０２・・・透明フィルム、１０３・・・透明抵抗膜、１０４・・・透明抵抗膜
【図１】
2010113440.tif 000003
【図２】
2010113440.tif 000004
【図３】
2010113440.tif 000005
【図４】
2010113440.tif 000006
【図５】
2010113440.tif 000007
【図６】
2010113440.tif 000008
【図７】
2010113440.tif 000009
【図８】
2010113440.tif 000010
【図９】
2010113440.tif 000011
【図１０】
2010113440.tif 000012
【図１１】
2010113440.tif 000013